(57)【要約】【課題】公平な抽選により申込者の購入意欲を促進し、低コストで実現可能な予約抽選装置、予約抽選方法および予約抽選プログラムを提供する。【解決手段】抽選代行会社コンピュータは、申込者による抽選情報閲覧ボタンのクリックの時点が指定されたチケット予約の受付期間中であった場合、抽選情報画面Ｔ５を申込者コンピュータに提示する。抽選情報画面Ｔ５には、チケット予約の受付終了までの残り時間、チケット予約をした申込者に対する予約抽選方法および予約確認メール作成時に各申込者に対して割付けた予約番号と各申込者個々のペンネームを含む「お申込者リスト」が提示されている。ペンネームは申込者の各人が抽選代行会社コンピュータに送信する予約メールに入力したものである。予約抽選方法は、イベント主催者により決定され、予約番号はチケット予約の受付順に各申込者に対して割当てられる。【選択図】        図１０
2004164084.tif 000002
【特許請求の範囲】
【請求項１】
ネットワークを介して販売対象提供者、販売者および購入希望者と情報の授受を行う予約抽選装置であって、
販売対象提供者から前記ネットワークを介して送信される販売対象の情報を販売情報として受け付ける販売情報受付手段と、
前記販売情報受付手段により受け付けられた販売情報を記憶する販売情報記憶手段と、
前記販売情報記憶手段に記憶された販売情報を前記ネットワークを介して購入希望者に提示する販売情報提示手段と、
購入希望者から前記ネットワークを介して送信される販売対象の購入予約を購入予約情報として受け付ける予約受付手段と、
前記予約受付手段により受け付けられた購入予約情報を記憶する購入予約情報記憶手段と、
前記購入予約情報記憶手段に記憶された購入予約情報に基づいて購入予約の状況および抽選方法を前記ネットワークを介して購入希望者に提示する予約抽選提示手段と、
前記購入予約情報記憶手段に記憶された購入予約情報および前記予約抽選提示手段により提示された抽選方法に基づいて抽選を実行する抽選実行手段と、
前記抽選実行手段により実行された抽選の結果を前記ネットワークを介して購入希望者に提示する抽選結果提示手段とを備えたことを特徴とする予約抽選装置。
【請求項２】
前記抽選実行手段により実行された抽選の結果を少なくとも購入希望者の一部には前記ネットワークを介して通知する抽選結果通知手段をさらに備えたことを特徴とする請求項１記載の予約抽選装置。
【請求項３】
前記抽選結果通知手段は、各当選者に前記ネットワークを介してパスワードを通知するとともに、販売者に前記ネットワークを介して各当選者のパスワードを通知することを特徴とする請求項２記載の予約抽選装置。
【請求項４】
前記購入予約情報は、購入予約を行った購入希望者を識別する予約者識別情報を含み、
前記予約受付手段は、購入予約を行った購入希望者に購入予約の受付順に予約番号を前記購入予約情報の一部として付与し、
前記予約抽選提示手段は、前記購入予約情報に含まれる予約者識別情報および予約番号の一覧を前記ネットワークを介して購入希望者に提示するとともに、前記予約番号に基づく抽選方法を前記ネットワークを介して提示することを特徴とする請求項１〜３のいずれかに記載の予約抽選装置。
【請求項５】
前記予約抽選提示手段は、購入予約を行った購入希望者の総数を当選予定者の数で除算した商に対応する数を考慮して前記予約番号の中から当選者を決定する抽選方法を前記ネットワークを介して提示することを特徴とする請求項４記載の予約抽選装置。
【請求項６】
前記予約抽選提示手段は、前記予約番号が小さいほど当選確率が高くなる抽選方法を前記ネットワークを介して提示することを特徴とする請求項４記載の予約抽選装置。
【請求項７】
前記予約受付手段は、複数の購入希望者から構成されるグループに一の予約番号を付与することを特徴とする請求項１〜６のいずれかに記載の予約抽選装置。
【請求項８】
ネットワークを介して販売対象提供者、販売者および購入希望者と情報の授受を行う予約抽選方法であって、
販売対象提供者から前記ネットワークを介して送信される販売対象の情報を販売情報として受け付けるステップと、
受け付けられた販売情報を記憶するステップと、
記憶された販売情報を前記ネットワークを介して購入希望者に提示するステップと、
購入希望者から前記ネットワークを介して送信される販売対象の購入予約を購入予約情報として受け付けるステップと、
受け付けられた購入予約情報を記憶するステップと、
記憶された購入予約情報に基づいて購入予約の状況および抽選方法を前記ネットワークを介して購入希望者に提示するステップと、
記憶された購入予約情報および提示された抽選方法に基づいて抽選を実行するステップと、
実行された抽選の結果を前記ネットワークを介して購入希望者に提示するステップとを備えたことを特徴とする予約抽選方法。
【請求項９】
ネットワークを介して販売対象提供者、販売者および購入希望者と情報の授受を行うコンピュータ読み取り可能な予約抽選プログラムであって、
販売対象提供者から前記ネットワークを介して送信される販売対象の情報を販売情報として受け付ける処理と、
受け付けられた販売情報を記憶する処理と、
記憶された販売情報を前記ネットワークを介して購入希望者に提示する処理と、
購入希望者から前記ネットワークを介して送信される販売対象の購入予約を購入予約情報として受け付ける処理と、
受け付けられた購入予約情報を記憶する処理と、
記憶された購入予約情報に基づいて購入予約の状況および抽選方法を前記ネットワークを介して購入希望者に提示する処理と、
記憶された購入予約情報および提示された抽選方法に基づいて抽選を実行する処理と、
実行された抽選の結果を前記ネットワークを介して購入希望者に提示する処理とを、前記コンピュータに実行させることを特徴とする予約抽選プログラム。
【発明の詳細な説明】
【０００１】
【発明の属する技術分野】
本発明は、公平な抽選により当選者を決定する予約抽選装置、予約抽選方法および予約抽選プログラムに関する。
【０００２】
【従来の技術】
従来より、予約が殺到するイベントのチケット販売は、主に予約抽選または予約受付順に行なわれている。以下に、従来におけるチケット販売形態について図１８に基づき説明する。
【０００３】
図１８は、従来におけるチケット販売形態の一例を示す模式図である。図１８によれば、申込者２００は、イベント主催者３００にチケット予約の申込ｑ１を行う。
【０００４】
イベント主催者３００は、申込者２００からのチケット予約の申込ｑ１を受け付け、申込者２００の中からチケット予約の受付順または予約抽選によりチケットの販売対象となる申込者２００を決定する。
【０００５】
イベント主催者３００は、チケット予約の受付順にチケット販売を行う場合、チケット予約の受付とともに申込者２００にチケット販売の手続の通知ｑ２を行う。また、イベント主催者３００は、予約抽選によりチケット販売を行う場合、チケット予約の受付期間の終了後、申込者２００にチケット予約の当選、落選、締め切りまたはチケット販売の手続きについての通知ｑ２を行う。一方で、イベント主催者３００は、チケット販売店４００にチケットの販売対象となる申込者２００を通知し、チケット販売の委託ｑ３を行う。
【０００６】
申込者２００は、イベント主催者３００からチケット販売の手続の通知ｑ２を受けた場合、チケット販売店４００に出向いてチケットの直接取引ｑ４を行う。直接取引ｑ４において、チケット販売店４００はイベント主催者３００より予め通知されているチケット販売の対象者を確認する。
【０００７】
なお、上記に示す従来のチケット販売形態においては、申込者２００、イベント主催者３００およびチケット販売店４００の相互間の連絡手段は、専ら電話によるものであった。
【０００８】
【特許文献１】
特開平０５−１８９４６６号公報
【特許文献２】
特開２００２−０９２２３７号公報
【特許文献３】
特開２００２−１６９９２８号公報
【０００９】
【発明が解決しようとする課題】
上記のように、予約が殺到するチケット販売においては、イベント主催者３００によるチケット販売対象者の決定は、チケット予約の申込受付順または予約抽選により行われている。
【００１０】
イベント主催者３００がチケット予約の申込受付順にチケット販売対象者を決定する場合、申込者２００はチケット予約の受付開始とともにチケット予約をする必要がある。これにより、申込者２００によるチケット予約の申込が殺到すると、電話がつながらない等の弊害が生じる。そして、申込者２００は、チケット購入が非常に困難であると認識し、チケットの購入意欲を喪失することがある。
【００１１】
一方、イベント主催者３００がチケット販売対象者の決定を予約抽選により行う場合、上述のような電話がつながらない等の弊害は生じないと考えられる。しかしながら、申込者２００は、チケット予約をすることができても、イベント主催者３００がどのような抽選方法によりチケット販売対象者を決定するかを知ることができない。これにより、申込者２００はチケット購入の困難性を過剰に認識したり、予約抽選で不正が行われているのではないかと不安を感じたり、チケットの購入意欲を喪失することがある。
【００１２】
本発明の目的は、公平な抽選により申込者の購入意欲を促進し、低コストで実現可能な予約抽選装置、予約抽選方法および予約抽選プログラムを提供することである。
【００１３】
【課題を解決するための手段】
第１の発明に係る予約抽選装置は、ネットワークを介して販売対象提供者、販売者および購入希望者と情報の授受を行う予約抽選装置であって、販売対象提供者からネットワークを介して送信される販売対象の情報を販売情報として受け付ける販売情報受付手段と、販売情報受付手段により受け付けられた販売情報を記憶する販売情報記憶手段と、販売情報記憶手段に記憶された販売情報をネットワークを介して購入希望者に提示する販売情報提示手段と、購入希望者からネットワークを介して送信される販売対象の購入予約を購入予約情報として受け付ける予約受付手段と、予約受付手段により受け付けられた購入予約情報を記憶する購入予約情報記憶手段と、購入予約情報記憶手段に記憶された購入予約情報に基づいて購入予約の状況および抽選方法をネットワークを介して購入希望者に提示する予約抽選提示手段と、購入予約情報記憶手段に記憶された購入予約情報および予約抽選提示手段により提示された抽選方法に基づいて抽選を実行する抽選実行手段と、抽選実行手段により実行された抽選の結果をネットワークを介して購入希望者に提示する抽選結果提示手段とを備えたものである。
【００１４】
第１の発明に係る予約抽選装置においては、販売対象提供者からネットワークを介して送信される販売対象の情報が販売情報受付手段により販売情報として受け付けられ、販売情報受付手段により受け付けられた販売情報が販売情報記憶手段により記憶され、販売情報記憶手段に記憶された販売情報が販売情報提示手段によりネットワークを介して購入希望者に提示される。また、購入希望者からネットワークを介して送信される販売対象の購入予約が予約受付手段により購入予約情報として受け付けられ、予約受付手段により受け付けられた購入予約情報が購入予約情報記憶手段により記憶され、購入予約情報記憶手段に記憶された購入予約情報に基づいて購入予約の状況および抽選方法が予約抽選提示手段によりネットワークを介して購入希望者に提示される。さらに、抽選実行手段により購入予約情報記憶手段に記憶された購入予約情報および予約抽選提示手段により提示された抽選方法に基づいて抽選が実行され、抽選実行手段により実行された抽選の結果が抽選結果提示手段によりネットワークを介して購入希望者に提示される。
【００１５】
これにより、購入希望者は、ネットワークを介して販売対象提供者の提供する販売情報を容易に得ることができる。そして、購入希望者は、その販売情報に基づき、ネットワークを介した予約申込ができる。このように、購入希望者は、予約申込をメール等によりネットワークを介して容易に行うことができるので、電話による予約申込時にあるような「電話が繋がらない」といったストレスを感じることがない。
【００１６】
また、購入希望者は、販売対象提供者の提供する販売情報とともに、現在の予約抽選の申込の状況および予め定められた当選公式による公平な抽選方法をネットワークを介して知ることができるので、予約申込の意欲を喪失しない。
【００１７】
一方、販売対象提供者は、コンピュータを用いることによりネットワークを介してチケット予約の受付および予約抽選を自動的に行うことができる。これにより、電話予約による予約受付や予約抽選に係る人員を低減することができ、予約受付および予約販売の全体的な低コスト化を図ることができる。
【００１８】
抽選実行手段により実行された抽選の結果を各購入希望者にネットワークを介して通知する抽選結果通知手段をさらに備えてもよい。この場合、抽選実行手段により実行された抽選の結果が抽選結果通知手段により各購入希望者に通知される。これにより、購入希望者は、自己の抽選の結果を容易に知ることができる。
【００１９】
抽選結果通知手段は、各当選者にネットワークを介してパスワードを通知するとともに、販売者にネットワークを介して各当選者のパスワードを通知してもよい。この場合、各当選者には抽選結果通知手段によりネットワークを介してパスワードが通知され、販売者には抽選結果通知手段によりネットワークを介して各当選者のパスワードが通知される。
【００２０】
これにより、販売者は、各当選者のパスワードにより当選した購入希望者を知ることができる。そして、販売者は、パスワードを有する購入希望者にチケット等の販売を行うことができる。
【００２１】
購入予約情報は、購入予約を行った購入希望者を識別する予約者識別情報を含み、予約受付手段は、購入予約を行った購入希望者に購入予約の受付順に予約番号を付与し、予約抽選提示手段は、購入予約情報に含まれる予約者識別情報および予約番号の一覧をネットワークを介して購入希望者に提示し、予約抽選提示手段は、予約番号に基づく抽選方法をネットワークを介して提示してもよい。
【００２２】
この場合、購入予約を行った購入希望者には購入予約情報に含まれる予約受付手段により購入予約の受付順に予約番号が付与される。また、予約抽選提示手段により、購入予約情報に含まれる予約者識別情報および予約番号の一覧がネットワークを介して購入希望者に提示され、予約番号に基づく抽選方法がネットワークを介して購入希望者に提示される。
【００２３】
これにより、予約抽選の申込を行った購入希望者は、自己に割り当てられた予約番号に基づいて、どのような抽選が行われるかをネットワークを介して容易に知ることができる。
【００２４】
予約抽選提示手段は、購入予約を行った購入希望者の総数を当選者の数で除算した商に対応する予約番号に基づいて当選者を決定する抽選方法をネットワークを介して提示してもよい。この場合、当選者は、購入予約を行った購入希望者の総数を当選者の数で除算した商に対応する予約番号に基づいて決定される。また、その抽選方法は予約抽選提示手段によりネットワークを介して提示される。
【００２５】
これにより、抽選方法が予めネットワークを介して提示されているので、購入希望者はどのような抽選が行われるかをネットワークを介して容易に知ることができる。さらにこの場合、当選者は申込順ではなく、申込者全員に対し均一に当選者が抽出されるので、購入希望者は、予約申込が送れた場合であっても予約申込の意欲を喪失しない。
【００２６】
予約抽選提示手段は、予約番号が小さいほど当選確率が高くなる抽選方法をネットワークを介して提示してもよい。この場合、当選者は、予約番号が小さいほど当選確率が高くなる。これにより、抽選方法が予めネットワークを介して提示されているので、購入希望者はどのような抽選が行われるかをネットワークを介して容易に知ることができる。また、購入希望者はなるべく早く予約申込をしたほうが当選しやすいが、遅れても当選する確立があるので予約申込の意欲を喪失しない。
【００２７】
予約受付手段は、複数の購入希望者から構成されるグループに一の予約番号を付与してもよい。これにより、購入希望者はグループで予約申込をすることができるので、予約申込の意欲が促進される。
【００２８】
第２の発明に係る予約抽選方法は、ネットワークを介して販売対象提供者、販売者および購入希望者と情報の授受を行う予約抽選方法であって、販売対象提供者からネットワークを介して送信される販売対象の情報を販売情報として受け付けるステップと、受け付けられた販売情報を記憶するステップと、記憶された販売情報をネットワークを介して購入希望者に提示するステップと、購入希望者からネットワークを介して送信される販売対象の購入予約を購入予約情報として受け付けるステップと、受け付けられた購入予約情報を記憶するステップと、記憶された購入予約情報に基づいて購入予約の状況および抽選方法をネットワークを介して購入希望者に提示するステップと、記憶された購入予約情報および提示された抽選方法に基づいて抽選を実行するステップと、実行された抽選の結果をネットワークを介して購入希望者に提示するステップとを備えたものである。
【００２９】
第２の発明に係る予約抽選方法においては、販売対象提供者からネットワークを介して送信される販売対象の情報が販売情報として受け付けられ、受け付けられた販売情報が記憶され、記憶された販売情報がネットワークを介して購入希望者に提示される。また、購入希望者からネットワークを介して送信される販売対象の購入予約が購入予約情報として受け付けられ、受け付けられた購入予約情報が記憶され、記憶された購入予約情報に基づいて購入予約の状況および抽選方法がネットワークを介して購入希望者に提示される。さらに、記憶された購入予約情報および提示された抽選方法に基づいて抽選が実行され、実行された抽選の結果がネットワークを介して購入希望者に提示される。
【００３０】
これにより、購入希望者は、ネットワークを介して販売対象提供者の提供する販売情報を容易に得ることができる。そして、購入希望者は、その販売情報に基づき、ネットワークを介した予約申込ができる。このように、購入希望者は、予約申込をメール等によりネットワークを介して容易に行うことができるので、電話による予約申込時にあるような「電話が繋がらない」といったストレスを感じることがない。
【００３１】
また、購入希望者は、販売対象提供者の提供する販売情報とともに、現在の予約抽選の申込の状況および予め定められた当選公式による公平な抽選方法をネットワークを介して知ることができるので、予約申込の意欲を喪失しない。
【００３２】
一方、販売対象提供者は、コンピュータを用いることによりネットワークを介してチケット予約の受付および予約抽選を自動的に行うことができる。これにより、電話予約による予約受付や予約抽選に係る人員を低減することができ、予約受付および予約販売の全体的な低コスト化を図ることができる。
【００３３】
第３の発明に係る予約抽選プログラムは、ネットワークを介して販売対象提供者、販売者および購入希望者と情報の授受を行うコンピュータ読み取り可能な予約抽選プログラムであって、販売対象提供者からネットワークを介して送信される販売対象の情報を販売情報として受け付ける処理と、受け付けられた販売情報を記憶する処理と、記憶された販売情報をネットワークを介して購入希望者に提示する処理と、購入希望者からネットワークを介して送信される販売対象の購入予約を購入予約情報として受け付ける処理と、受け付けられた購入予約情報を記憶する処理と、記憶された購入予約情報に基づいて購入予約の状況および抽選方法をネットワークを介して購入希望者に提示する処理と、記憶された購入予約情報および提示された抽選方法に基づいて抽選を実行する処理と、実行された抽選の結果をネットワークを介して購入希望者に提示する処理とを、コンピュータに実行させるものである。
【００３４】
第３の発明に係る予約抽選プログラムにおいては、販売対象提供者からネットワークを介して送信される販売対象の情報が販売情報として受け付けられ、受け付けられた販売情報が記憶され、記憶された販売情報がネットワークを介して購入希望者に提示される。また、購入希望者からネットワークを介して送信される販売対象の購入予約が購入予約情報として受け付けられ、受け付けられた購入予約情報が記憶され、記憶された購入予約情報に基づいて購入予約の状況および抽選方法がネットワークを介して購入希望者に提示される。さらに、記憶された購入予約情報および提示された抽選方法に基づいて抽選が実行され、実行された抽選の結果がネットワークを介して購入希望者に提示される。
【００３５】
これにより、購入希望者は、ネットワークを介して販売対象提供者の提供する販売情報を容易に得ることができる。そして、購入希望者は、その販売情報に基づき、ネットワークを介した予約申込ができる。このように、購入希望者は、予約申込をメール等によりネットワークを介して容易に行うことができるので、電話による予約申込時にあるような「電話が繋がらない」といったストレスを感じることがない。
【００３６】
また、購入希望者は、販売対象提供者の提供する販売情報とともに、現在の予約抽選の申込の状況および予め定められた当選公式による公平な抽選方法をネットワークを介して知ることができるので、予約申込の意欲を喪失しない。
【００３７】
一方、販売対象提供者は、コンピュータを用いることによりネットワークを介してチケット予約の受付および予約抽選を自動的に行うことができる。これにより、電話予約による予約受付や予約抽選に係る人員を低減することができ、予約受付および予約販売の全体的な低コスト化を図ることができる。
【００３８】
【発明の実施の形態】
以下に、図１〜図１７に基づき、本発明の一実施の形態に係る予約抽選装置、予約抽選方法および予約抽選プログラムについて説明する。
【００３９】
（第１の実施の形態）
図１は、本発明の第１の実施の形態に係るチケット販売形態の一例を示す模式図である。
【００４０】
本発明に係るチケット販売形態においては、イベント主催者３００は、予め抽選代行会社１００にチケット販売の委託ｒ１を行う。
【００４１】
申込者２００は、抽選代行会社１００に特定のイベントに関するチケット予約の申込ｒ２を行う。抽選代行会社１００は、チケット予約の受付期間中に申込者２００よりチケット予約の申込ｒ２を受付け、チケット予約の受付期間の終了後、予約を受付けた複数の申込者２００の中から抽選により、チケット販売対象者を決定する。
【００４２】
抽選代行会社１００は、チケット販売対象者の決定とともにチケット販売対象者（申込者２００）に対し予約抽選に当選した旨の通知ｒ３を行う。さらに、抽選代行会社１００は、チケット販売店４００にチケット販売対象者の通知ｒ４を行う。
【００４３】
その後、チケット販売対象者は、チケット販売店４００に出向き、チケットの直接取引ｒ５を行う。ここで、チケット販売店４００は、上述の抽選代行会社１００からの通知ｒ４に基づきチケット販売対象者を識別し、チケット販売を行う。
【００４４】
図２は、第１の実施の形態に係る予約抽選装置を含む予約抽選システムの構成を示すブロック図である。
【００４５】
図２によれば、本実施の形態に係る予約抽選システムは、抽選代行会社コンピュータ１、申込者コンピュータ２Ａ，２Ｂ，２Ｃ、イベント主催者コンピュータ３、チケット販売店コンピュータ４、メールサーバ５、通信端末１１，２１Ａ，２１Ｂ，２１Ｃ，３１，４１、インターネット６および回線７により構成されている。なお、予約抽選装置は、抽選代行会社コンピュータ１、メールサーバ５および通信端末１１から構成されている。
【００４６】
抽選代行会社コンピュータ１は、通信端末１１および回線７を介してインターネット６に接続可能となっている。申込者コンピュータ２Ａ，２Ｂ，２Ｃは、通信端末２１Ａ，２１Ｂ，２１Ｃおよび回線７を介してインターネット６に接続可能となっている。また、イベント主催者コンピュータ３は、通信端末３１および回線７を介してインターネット６に接続可能となっている。さらに、チケット販売店コンピュータ４は、通信端末４１および回線７を介してインターネット６に接続可能となっている。メールサーバ５は、回線７を介してインターネット６に接続されており、インターネット６に接続された各種コンピュータからの電子メール（以下、メールと略記する。）を一時的に保存する。
【００４７】
上記の構成により、申込者コンピュータ２Ａ，２Ｂ，２Ｃ、イベント主催者コンピュータ３およびチケット販売店コンピュータ４は、通信端末２１Ａ，２１Ｂ，２１Ｃ，３１，４１、インターネット６および回線７を介して抽選代行会社コンピュータ１に接続可能である。
【００４８】
また、抽選代行会社コンピュータ１、申込者コンピュータ２Ａ，２Ｂ，２Ｃ、イベント主催者コンピュータ３およびチケット販売店コンピュータ４は、通信端末１１，２１Ａ，２１Ｂ，２１Ｃ，３１，４１、インターネット６および回線７を介してメールサーバ５に接続し，メールの保存およびメールの読み込みを行なうことにより相互間で情報の伝達を行なうことができる。
【００４９】
ここで、通信端末１１，２１Ａ，２１Ｂ，２１Ｃ，３１，４１は、例えばモデム、ターミナルアダプタまたはルータである。
【００５０】
本実施の形態においては、図１に示す抽選代行会社１００、申込者２００、イベント主催者３００およびチケット販売店４００間での情報の授受は、それぞれが抽選代行会社コンピュータ１、申込者コンピュータ２Ａ，２Ｂ，２Ｃ、イベント主催者コンピュータ３およびチケット販売店コンピュータ４を用いることによりインターネット６を介して行われる。
【００５１】
ここで、抽選代行会社コンピュータ１の構成について図３に基づき説明する。図３は、第１の実施の形態に係る抽選代行会社コンピュータ１の構成を示すブロック図である。
【００５２】
抽選代行会社コンピュータ１は、ＣＰＵ（中央演算処理装置）１０１、ＲＡＭ（ランダムアクセスメモリ：Ｒａｎｄｏｍ  Ａｃｃｅｓｓ  Ｍｅｍｏｒｙ）１０２、ＲＯＭ（リードオンリメモリ：Ｒｅａｄ  Ｏｎｌｙ  Ｍｅｍｏｒｙ）１０３、外部記憶装置１０４、記録媒体駆動装置１０５およびインターフェイス１０６を含む。
【００５３】
インターフェイス１０６は、通信端末１１に接続されており、ＣＰＵ１０１と通信端末１１とを相互に接続する。通信端末１１は、回線７を通じてインターネット６に接続されている。
【００５４】
ＲＯＭ１０３にはシステムプログラムが記憶される。記録媒体駆動装置１０５は、ＣＤ（コンパクトディスク：Ｃｏｍｐａｃｔ  Ｄｉｓｃ）ドライブ、フロッピィディスクドライブ等からなり，ＣＤ−ＲＯＭまたはフロッピィディスク等の記録媒体１０７に対してデータの読み書きを行う。記録媒体１０７には、予約抽選プログラムが記録されている。
【００５５】
外部記憶装置１０４は、ハードディスク装置等からなり、記録媒体駆動装置１０５を介して記録媒体１０７から読み込まれた予約抽選プログラムを記憶する。ＣＰＵ１０１は、外部記憶装置１０４に記録された予約抽選プログラムを、ＲＡＭ１０２上で実行する。この予約抽選プログラムの詳細については後述する。さらに、外部記憶装置１０４は、後述する複数階層のホームページ（以下、ＨＰと略記する。）に関する情報および各種イベントに関する情報を記憶する。
【００５６】
予約抽選プログラムを記録する記録媒体１０７としては、ＲＯＭなどの半導体メモリ、ハードディスク等の種々の記録媒体を用いてもよい。また予約抽選プログラムを通信端末１１および回線７等の通信媒体を介して外部記憶装置１０４にダウンロードし、ＲＡＭ１０２上で実行してもよい。
【００５７】
申込者コンピュータ２Ａ，２Ｂ，２Ｃ、イベント主催者コンピュータ３およびチケット販売店コンピュータ４は、外部記憶装置１０４に記憶される情報を除き、抽選代行会社コンピュータ１と同様の構成を有する。
【００５８】
図２の抽選代行会社コンピュータ１は、ＷＷＷ（ワールドワイドウェブ：Ｗｏｒｌｄ  Ｗｉｄｅ  Ｗｅｂ）サーバの機能を有し、申込者コンピュータ２Ａ，２Ｂ，２Ｃ、イベント主催者コンピュータ３およびチケット販売店コンピュータ４は、ＷＷＷブラウザ（図示せず）を備えている。
【００５９】
以下に、上記構成を有する予約抽選システムの動作について説明する。
初めに、抽選代行会社１００の抽選代行会社コンピュータ１の外部記憶装置１０４には、図１のイベント主催者３００からのチケット販売の委託ｒ１により後述の各種情報が記憶される。
【００６０】
図４は、第１の実施の形態においてイベント主催者３００から抽選代行会社１００に与えられる各種情報の一例を示す模式図である。
【００６１】
抽選代行会社コンピュータ１の外部記憶装置１０４には、図４（ａ）に示す予約抽選の受付を行うための予約抽選受付情報、図４（ｂ）に示すイベント内容の詳細を示すイベント詳細情報および図４（ｃ）に示すイベントのスケジュールを示すイベントスケジュール情報が予め記憶される。抽選代行会社コンピュータ１は、外部記憶装置１０４に記憶された予約抽選受付情報、イベント詳細情報およびイベントスケジュール情報に基づき、申込者２００からのチケットの予約の受付を行なう。
【００６２】
なお、イベント主催者３００から予め抽選代行会社１００に与えられる情報には、上記の予約抽選受付情報、イベント詳細情報およびイベントスケジュール情報に限らず、後述の予約抽選方法に関する情報等も含まれる。抽選代行会社コンピュータ１は、予約抽選方法に関する情報に基づき申込者２００の予約抽選を行う。
【００６３】
ここで、申込者２００がチケット予約を行う場合について想定する。申込者２００は、チケット予約の受付が行われているイベントを知りたい場合または特定のイベントのチケット予約を申込をしたい場合、以下の動作を行なう。
【００６４】
申込者２００は、自己のコンピュータ、例えば申込者コンピュータ２Ａより通信端末２１Ａ、通信端末１１、インターネット６および回線７を介して抽選代行会社コンピュータ１にアクセスを行なう。このアクセスとは、申込者２００が、申込者コンピュータ２ＡのＷＷＷブラウザを用いて抽選代行会社コンピュータ１に設けられるＷＷＷサーバに接続することを意味し、例えば、申込者２００が、抽選代行会社コンピュータ１に設けられるＷＷＷサーバにおいて公開されるＨＰのＵＲＬ（ユニフォームリソースロケーター：Ｕｎｉｆｏｒｍ  Ｒｅｓｏｕｒｃｅ  Ｌｏｃａｔｏｒ）またはＤＮＳ（ドメインネームシステム：Ｄｏｍａｉｎ  Ｎａｍｅ  Ｓｙｓｔｅｍ）を申込者コンピュータ２ＡのＷＷＷブラウザにおいて指定することである。
【００６５】
申込者２００の申込者コンピュータ２Ａが、抽選代行会社コンピュータ１にアクセスすることにより、抽選代行会社コンピュータ１のＣＰＵ１０１は、外部記憶装置１０４に予め記憶されている複数階層のＨＰに関するデータの中から図５に示す第１のＨＰである予約抽選受付画面Ｔ１を選択し、申込者のコンピュータ２Ａに提示する。このように、申込者２００は、抽選代行会社１００の複数階層のＨＰが閲覧可能である。
【００６６】
図５は、チケット予約の受付を行う予約抽選受付画面Ｔ１の一例を示す模式図である。
【００６７】
予約抽選受付画面Ｔ１は、イベントのチケット予約を受付けるものである。予約抽選受付画面Ｔ１においては、後述の第２のＨＰであるイベント詳細情報画面Ｔ２にリンクするイベント表示ボタンＲ１および後述の第５のＨＰである抽選情報画面Ｔ５，Ｔ６にリンクする抽選情報閲覧ボタンＲ２を含む。イベント表示ボタンＲ１は、図４（ａ）に示すような予約抽選受付情報に基づき作成されている。イベント詳細情報画面Ｔ２および抽選情報画面Ｔ５，Ｔ６の詳細については後述する。
【００６８】
申込者２００は、第１のＨＰである予約抽選受付画面Ｔ１を閲覧し、所望のイベントが表示されたイベント表示ボタンＲ１をクリックする。これにより、抽選代行会社コンピュータ１のＣＰＵ１０１は、図６に示す第２のＨＰであるイベント詳細情報画面Ｔ２を申込者コンピュータ２Ａに提示する。
【００６９】
図６は、イベントの内容およびスケジュールの詳細を表示するイベント詳細情報画面の一例を示す模式図である。
【００７０】
第２のＨＰであるイベント詳細情報画面Ｔ２は、後述の第３のＨＰである予約サインフォーム表示画面Ｔ３にリンクする予約実行ボタンＲ３を含む。
【００７１】
ここで、イベント詳細情報画面Ｔ２は、図４（ｂ）に示すようなイベント詳細情報および図４（ｃ）に示すようなイベントスケジュール情報に基づき作成されたものである。
【００７２】
イベント詳細情報画面Ｔ２によれば、申込者２００は自己の関心のあるイベントの内容およびスケジュールの詳細な情報を得ることができる。
【００７３】
申込者２００は、イベント詳細情報画面Ｔ２に提示されているイベントについて予約をしたい場合、予約実行ボタンＲ３をクリックする。これにより、抽選代行会社コンピュータ１のＣＰＵ１０１は、図７に示す第３のＨＰである予約サインフォーム表示画面Ｔ３を申込者コンピュータ２Ａに提示する。
【００７４】
本実施の形態において、チケット予約の申込は申込者２００の予約メールにより行われる。例えば、申込者２００は、チケット予約を申込をしたい場合に抽選代行業者１００が指定する予約サインフォームに従って予約メールを作成し、抽選代行業者１００へ送信することによりチケット予約の申込を行う。
【００７５】
図７は、チケット予約の予約メールを作成するための予約サインフォーム表示画面の一例を示す模式図である。
【００７６】
第３のＨＰである予約サインフォーム表示画面Ｔ３には、申込者２００がイベント予約の申込のために抽選代行会社１００に送信する予約メールの雛形が示されている。
【００７７】
図７によれば、申込者２００は、チケット予約の申込に際してイベント名、イベント開催地、イベント開催日時、名前およびペンネームを入力した予約メールを抽選代行会社１００へ送信する。
【００７８】
ここで、申込者２００が抽選代行会社１００に申込者コンピュータ２Ａを用いて予約メールを送信した場合を想定する。抽選代行会社１００の抽選代行会社コンピュータ１は、申込者コンピュータ２Ａから予約メールを受け取ることにより、図８に示す予約確認メールＭ１を作成し、申込者コンピュータ２Ａへ送信する。
【００７９】
図８は、申込者２００よりチケット予約を受付けたことを申込者２００に通知する予約確認メールの一例を示す模式図である。
【００８０】
ここで、予約確認メールＭ１は、申込者２００からの予約メールおよび予め外部記憶装置１０４に記憶されている予約確認メールフォーム（図示せず）に基づき作成される。予約確認メールフォームは、申込者２００からの予約メールに対する返信メールの雛形である。
【００８１】
図８によれば、チケット予約を申込んだ申込者２００は、自己のチケット予約が受付けられたことを確認できるとともに、自己の選択したイベント名、イベント開催地およびイベント開催日時を確認することができる。さらに、図８の予約確認メールＭ１には、申込者２００のチケット予約受付順を示す予約番号およびペンネームが提示されている。これにより、チケット予約を申込んだ申込者２００は、自己が何番目にチケット予約を受付けられたかを知ることができる。
【００８２】
なお、予約確認メールＭ１には、イベント名、イベント開催地およびイベント開催日時の他、イベントの料金が提示されていてもよい。
【００８３】
以上のように、申込者２００は、申込者コンピュータ２Ａから通信端末２１Ａ，１１、回線７およびインターネット６を介して抽選代行会社コンピュータ１にアクセスすることによりイベントの確認およびイベントのチケット予約を行うことができる。
【００８４】
申込者２００は、チケット予約状況に関する情報を知りたい場合、図５に示す予約抽選受付画面Ｔ１の抽選情報閲覧ボタンＲ２をクリックする。以下に、申込者２００が、図５の抽選情報閲覧ボタンＲ２をクリックした場合の抽選代行会社コンピュータ１の動作について説明する。
【００８５】
抽選代行会社コンピュータ１のＣＰＵ１０１は、図５の抽選情報閲覧ボタンＲ２がクリックされることにより、予め外部記憶装置１０４に記憶された第４のＨＰである抽選情報選択画面Ｔ４を申込者コンピュータ２Ａに提示する。
【００８６】
図９は、特定のチケット予約状況を選択するための抽選情報選択画面Ｔ４の一例を示す模式図である。
【００８７】
第４のＨＰである抽選情報選択画面Ｔ４は、申込者２００が特定のチケット予約状況に関する情報を閲覧するために、特定のチケット予約を指定するためのものである。図９によれば、抽選情報選択画面Ｔ４は、イベント名入力スペースＮ１、イベント開催地入力スペースＮ２およびイベント開催日時入力スペースＮ３を含み、さらに抽選情報閲覧ボタンＲ４を含む。
【００８８】
申込者２００は、抽選情報選択画面Ｔ４のイベント名入力スペースＮ１にイベント名を入力し、イベント開催地入力スペースＮ２に当該イベントの開催地を入力し、イベント開催日時入力スペースＮ３に当該イベントの開催日時を入力する。その後、申込者２００は、抽選情報閲覧ボタンＲ４をクリックする。これにより、抽選会社コンピュータ１のＣＰＵ１０１は、図１０および図１１に示す抽選情報画面Ｔ５，Ｔ６を申込者コンピュータ２Ａに提示する。
【００８９】
以下の説明において、第５のＨＰは、チケット予約受付期間の締め切りの前後で提示内容を更新している。この第５のＨＰの提示内容の更新については後述する。
【００９０】
抽選代行会社コンピュータ１のＣＰＵ１０１は、申込者２００による抽選情報閲覧ボタンＲ４のクリックの時点が指定されたチケット予約の受付期間中であった場合、図１０に示す第５のＨＰである抽選情報画面Ｔ５を申込者コンピュータ２Ａに提示する。
【００９１】
図１０は、チケット予約の受付期間中における抽選情報画面Ｔ５の一例を示す模式図である。
【００９２】
第５のＨＰである抽選情報画面Ｔ５には、チケット予約の受付終了までの残り時間、チケット予約をした申込者２００に対する予約抽選方法および図８の予約確認メールＭ１作成時に各申込者２００に対して割付けた予約番号と各申込者個々のペンネームを含む「お申込者リスト」が提示されている。
【００９３】
チケット予約の受付終了までの残り時間は、抽選代行会社コンピュータ１のＣＰＵ１０１が予め設定されている受付の締切時間に基づいて算出したものである。また、予約抽選方法は、図１のイベント主催者３００により決定され、予め図１のチケット販売の委託ｒ１に際して外部記憶装置１０４に記憶される。予約番号は、上述のようにチケット予約の受付順に各申込者２００に対して割当てられる。さらに、ペンネームは申込者２００の各人が抽選代行会社コンピュータ１に送信する予約メールに入力したものである。
【００９４】
図１０の抽選情報画面Ｔ５によれば、申込者２００は、図９に示す第４のＨＰである抽選情報選択画面Ｔ４により自己が指定したチケット予約状況に関する情報を閲覧することができる。
【００９５】
そして、申込者２００は、第５のＨＰである抽選情報画面Ｔ５に示される「お申込者リスト」を閲覧することにより、当該チケット予約に関する全申込者２００のチケット予約状況を知ることができる。例えば、ペンネーム「ペンペン」なる申込者２００は、「お申込者リスト」を閲覧することにより、自己のチケット予約が４２番目に受付けられたことを知ることができるとともに、抽選予約方法を知ることができる。
【００９６】
上記のように、申込者２００はチケット予約を行なっている場合に、当該イベントのチケット予約の受付がいつまでであるか、またチケット予約の抽選はどのように行なわれるか、さらに自己のチケット予約がどのような順で受付けられたか、現在のチケット予約の人数が何人であるかを認識することができる。
【００９７】
一方、抽選代行会社コンピュータ１は、申込者２００による抽選情報閲覧ボタンＲ４のクリックの時点が当該イベントのチケット予約受付期間終了後であった場合、図１１に示す第５のＨＰである抽選情報画面Ｔ６を申込者コンピュータ２Ａに提示する。
【００９８】
図１１は、特定のイベントのチケット予約の受付期間の終了後の抽選情報画面Ｔ６の一例を示す模式図である。
【００９９】
第５のＨＰである抽選情報画面Ｔ６には、チケット予約の受付終了の旨とともに、総申込者数、当選公式の計算結果、当選者を示す「お申込者リスト」等が提示されている。
【０１００】
これにより、申込者２００はチケット予約の受付期間が終了したチケット予約に対し、定員数（当選予定者数）が何名であるか、総申込者数が何名であるか、抽選がどのように行なわれたか、予約番号が何番の申込者２００が当選しているかを知ることができる。
【０１０１】
図１１によれば、例えば定員数が５０名のイベントに対し総申込者数が３５０名であった場合、予め図１０の抽選情報画面Ｔ５に示された当選公式に基づき、総申込者数３５０が定員数５０により除算されている。そして、図５の抽選情報画面Ｔ５に提示されている抽選方法に基づき、総申込者数を定員数で除算した値である７の倍数にあたる予約番号を有する申込者２００が当選者として決定される。したがって、予約番号「４２」を有するペンネーム「ペンペン」は、抽選情報画面Ｔ６に示される通り当選となる。
【０１０２】
最後に、チケット予約の受付期間が終了した場合の抽選代行会社コンピュータ１の動作について説明する。
【０１０３】
抽選代行会社コンピュータ１のＣＰＵ１０１は、チケット予約の受付期間が終了するとともにチケット予約の予約抽選を行う。そして、予約抽選の結果に基づいて、第５のＨＰのデータを図１０の抽選情報画面Ｔ５から図１１の抽選情報画面Ｔ６へ更新する。
【０１０４】
その後、ＣＰＵ１０１は、チケット予約の各当選者に対し当選通知メール（図示せず）を送信する。当選通知メールは、予め外部記憶装置１０４に記憶された当選通知メールフォーム（図示せず）および各当選者の予約メールに基づき作成される。なお、当選通知メールにはＣＰＵ１０１が各当選者に割り付けたパスワードが含まれる。
【０１０５】
一方で、ＣＰＵ１０１は、図１のチケット販売店４００に対しても上述のパスワードを当選者リストとして送信する。これにより、当選通知メールを受け取った申込者２００は、当選通知メールに含まれるパスワードをチケット販売店４００に告げることにより所望のチケットを購入することができる。なお、ここでは当選者をきめるのに、申込者の数を定員数で割った商の値に基づいて予約番号の中から選び出す方法を示したが、抽選方法が開示してあれば、商の値に一対一に対応する予約番号を選ばなくてもよい。また、一部の予約番号についてのみ商の値を用いてもよい。
【０１０６】
続いて、申込者コンピュータ２Ａによる各種情報の閲覧動作について説明する。
【０１０７】
図１２および図１３は、申込者コンピュータ２Ａによる各種情報の閲覧動作を示すフローチャートである。
【０１０８】
初めに、申込者コンピュータ２Ａは、使用者により予約抽選受付画面のＴ１のＵＲＬが指定されたか否かを判別する（ステップＳ１１）。予約抽選受付画面Ｔ１のＵＲＬが指定された場合、申込者コンピュータ２Ａは、図２の抽選代行会社コンピュータ１から予約抽選受付画面Ｔ１をダウンロードして表示する（ステップＳ１２）。ここで、予約抽選受付画面Ｔ１のＵＲＬが指定されない場合、申込者コンピュータ２Ａは待機状態となりステップＳ１１の動作を繰り返す。
【０１０９】
次に、ステップＳ１２の動作を行った申込者コンピュータ２Ａは、イベント表示ボタンＲ１がクリックされたか否かを判別する（ステップＳ１３）。予約抽選受付画面Ｔ１のイベント表示ボタンＲ１がクリックされた場合、申込者コンピュータ２Ａは、イベント表示ボタンＲ１に割り付けられたＵＲＬに基づいて抽選代行会社コンピュータ１からイベント詳細情報画面Ｔ２をダウンロードして表示する（ステップＳ１４）。
【０１１０】
続いて、申込者コンピュータ２Ａは、予約実行ボタンＲ３がクリックされたか否かを判別する（ステップＳ１５）。イベント詳細情報画面Ｔ２の予約実行ボタンＲ３がクリックされた場合、申込者コンピュータ２Ａは、予約実行ボタンＲ３に割り付けられたＵＲＬに基づいて抽選代行会社コンピュータ１から予約サインフォーム表示画面Ｔ３をダウンロードして表示する（ステップＳ１６）。なお、ステップＳ１５において予約実行ボタンＲ３がクリックされない場合、申込者コンピュータ２Ａは待機状態となりステップＳ１５の動作を繰り返す。
【０１１１】
申込者コンピュータ２Ａは、ステップＳ１３においてイベント表示ボタンＲ１がクリックされない場合、抽選情報閲覧ボタンＲ２がクリックされたか否かを判別する（ステップＳ２４）。予約抽選受付画面Ｔ１の抽選情報閲覧ボタンＲ２がクリックされた場合、申込者コンピュータ２Ａは、抽選情報閲覧ボタンＲ２に割り付けられたＵＲＬに基づいて抽選代行会社コンピュータ１から抽選情報選択画面Ｔ４をダウンロードして表示する（ステップＳ２５）。抽選情報閲覧ボタンＲ２がクリックされない場合、申込者コンピュータ２Ａは待機状態となりステップＳ１３の動作を繰り返す。
【０１１２】
ステップＳ２５の動作により抽選情報選択画面Ｔ４を表示した申込者コンピュータ２Ａは、イベントに関する所定の情報が入力され、抽選情報選択画面Ｔ４の抽選情報閲覧ボタンＲ４がクリックされたか否かを判別する（ステップＳ２６）。イベントに関する所定の情報が入力され、抽選情報閲覧ボタンＲ４がクリックされた場合、申込者コンピュータ２Ａは、抽選情報閲覧ボタンＲ４に割り付けられたＵＲＬに基づいて該当する抽選情報画面Ｔ５，Ｔ６をダウンロードして表示する（ステップＳ２７）。一方、イベントに関する所定の情報が入力されず、抽選情報閲覧ボタンＲ４がクリックされない場合、申込者コンピュータ２Ａは待機状態となりステップＳ２６の動作を繰り返す。
【０１１３】
このような、申込者コンピュータ２Ａによる各種情報の閲覧動作によれば申込者２００は、容易に各種イベントの情報を得ることができ、チケット予約の方法を知ることができる。
【０１１４】
次に、抽選代行会社１００の抽選代行会社コンピュータ１が行うチケット予約の受付および抽選情報の更新動作について図１４に基づき説明する。
【０１１５】
図１４は、抽選代行会社コンピュータ１のＣＰＵ１０１が行うチケット予約の受付および抽選情報の更新動作を示すフローチャートである。
【０１１６】
初めに、ＣＰＵ１０１は、通信端末１１より予約メールを受信したか否かを判別する（ステップＳ３１）。そして、ＣＰＵ１０１は、予約メールを受信した場合、受信した予約メールのチケット予約の受付期間が終了しているか否かについて判別する（ステップＳ３２）。
【０１１７】
ここで、予約メールのチケット予約の受付期間に関する判別動作は、予約メールに含まれるイベント名、イベント開催場所およびイベント開催日時を予め外部記憶装置１０４に記憶されているチケット予約の受付期間と比較することにより行われている。
【０１１８】
上記に示すステップＳ３２において、ＣＰＵ１０１が予約メールのチケット予約の受付期間が終了していないと判別した場合、ＣＰＵ１０１は予約メールに含まれる各種情報（申込者名、イベント名、イベント開催場所、イベント開催日時およびペンネーム等）を外部記憶装置１０４に記憶する（ステップＳ３３）。
【０１１９】
そして、ＣＰＵ１０１は、予め外部記憶装置１０４に記憶された予約確認メールフォームに予約メールに含まれる各種情報およびイベント予約における予約番号を入力して予約確認メールＭ１として通信端末１１に送信する（ステップＳ３４）。
【０１２０】
最後に、ＣＰＵ１０１は、外部記憶装置１０４内に予約されたイベントに関する抽選情報画面Ｔ５のお申込者リストに予約番号およびペンネーム等を追加して更新する（ステップＳ３５）。このように、ＣＰＵ１０１が提示する第５のＨＰである抽選情報画面Ｔ５は、チケット予約の受付毎に常に更新される。
【０１２１】
上記に示すステップＳ３１〜Ｓ３５の動作により、抽選代行会社１００は、申込者２００に対してチケット予約の受付を行い、申込者２００に提示するチケット予約の状況を示す抽選情報を更新する。
【０１２２】
抽選代行会社１００の抽選代行会社コンピュータ１が行うチケット予約の抽選動作について、図１５に基づき説明する。
【０１２３】
以下に示すチケット予約の抽選動作は、ＣＰＵ１０１が予約メールのチケット予約の受付期間が終了したと判別することにより開始される。この判別は、ＣＰＵ１０１が予め定められたチケット予約の受付期間と自己の計測する現在時刻とを比較することにより行われる。なお、チケット予約の受付期間は上述のように予め各種イベントごとに外部記憶装置１０４に記憶されている。
【０１２４】
図１５は、抽選代行会社コンピュータ１のＣＰＵ１０１が行うチケット予約の抽選動作を示すフローチャートである。
【０１２５】
初めに、ＣＰＵ１０１は、チケット予約の対象となるイベントの定員および総申込者人数に基づき、予め外部記憶装置１０４に記憶された当選公式の演算を実行する（ステップＳ４１）。そして、ＣＰＵ１０１は、当選公式の演算結果に基づき、予約メールにより外部記憶装置１０４に記憶された申込者から抽選の当選者を決定する（ステップＳ４２）。
【０１２６】
ＣＰＵ１０１は、外部記憶装置１０４に記憶されている第５のＨＰである抽選情報画面Ｔ５に当選確定結果、当選者の情報および当選公式の演算結果を追加して更新する（ステップＳ４３）。この結果、更新後の第５のＨＰとして、抽選情報画面Ｔ６が外部記憶装置１０４に記憶される。
【０１２７】
その後、ＣＰＵ１０１は、決定された各当選者に対しパスワードを割当て、予め外部記憶装置１０４に記憶された当選通知メールフォームに当選結果およびパスワードを入力して通信端末１１へ送信する（ステップＳ４４）。
【０１２８】
最後に、ＣＰＵ１０１は、決定された全ての当選者に割当てられたパスワードを当選者リストとして通信端末１１へ送信する（ステップＳ４５）。
【０１２９】
上記のステップＳ４１〜Ｓ４５の動作により、抽選代行会社１００は、申込者２００に対してチケット予約の予約抽選、当選結果の通知およびパスワードの通知を行い、チケット販売店４００に対して当選者に割当てられたパスワードの通知を行う。
【０１３０】
以上により、抽選代行会社１００による予約抽選プログラムに基づく抽選動作が終了する。
【０１３１】
本実施の形態に係る予約抽選システムによれば、申込者２００は、インターネット６を介して抽選代行会社１００にアクセスすることにより、チケット予約の受付が行なわれているイベントの情報および各イベントに関するチケット予約状況の情報を得ることができる。さらに、申込者２００は、チケット予約の受付が行なわれているイベントに対しメールによるチケット予約の申込をすることができる。
【０１３２】
これにより、申込者２００は、現在チケット予約の受付が行われているイベントについて容易に情報収集を行うことができる。さらに、申込者２００は、チケット予約の申込をメールで容易に行うことができるので、電話によるチケット予約の申込時にあるような「電話が繋がらない」といったストレスを感じることがない。
【０１３３】
本実施の形態に係る予約抽選システムによれば、抽選代行会社１００は、チケット予約状況を常にＨＰ上で提示し、チケットの販売対象者を予め提示している当選公式による公平な抽選により決定する。これにより、申込者２００は自己の受付がどのように行われているかを知ることができ、さらに、抽選がどのように行われているかを知ることができるので、チケット予約の申込意欲を喪失しない。
【０１３４】
また、抽選代行会社１００は、コンピュータを用いることにより、チケット予約の受付および予約抽選を自動的に行うことができる。これにより、抽選代行会社１００は、電話予約制のチケット予約の受付や予約抽選に係る人員を低減することができ、チケット予約およびチケット販売の全体的な低コスト化を図ることができる。
【０１３５】
なお、抽選代行会社コンピュータ１は、申込者２００より送られる予約メールに基づいていずれのコンピュータより予約メールが送信されたかを記憶してもよく、さらに、抽選代行会社コンピュータ１は同一のコンピュータより送信される同一のチケット予約の申込を受付けないように設定されていてもよい。
【０１３６】
本実施の形態において、図２に示す予約抽選システムの構成では申込者コンピュータ符号は３台設けられ、チケット販売店コンピュータ符号は１台設けられ、イベント主催者コンピュータ符号は１台設けられているが、申込者コンピュータ、チケット販売店コンピュータおよびイベント主催者コンピュータの台数に制限はない。
【０１３７】
（第２の実施の形態）
以下に、第２の実施の形態に係る予約抽選システムについて図１６に基づき説明する。
【０１３８】
第２の実施の形態に係る予約抽選システムは、以下の点を除き第１の実施の形態と同様の構成および動作を有する。
【０１３９】
第２の実施の形態において、予めイベント主催者により決定されるチケット予約抽選方法は、チケット予約の受付順に当選率が異なる。
【０１４０】
図１６は、第２の実施の形態におけるチケット予約の受付期間中の抽選情報画面Ｔ７の一例を示す模式図である。
【０１４１】
以下に、図１６に示されるチケット予約抽選方法に基づく抽選代行会社コンピュータ１のＣＰＵ１０１の動作について説明する。
【０１４２】
抽選代行会社コンピュータ１のＣＰＵ１０１は、第１の実施の形態に係る抽選予約システムと同様に、チケット予約受付期間の終了とともに総申込者数に基づいて予めイベント主催者３００により決定されるチケット予約抽選方法により予約抽選を行う。
【０１４３】
初めに、ＣＰＵ１０１は、総申込者数を４分割する。これにより、チケット申込を行った申込者は、自己に割当てられた予約番号に応じて当選率が決定される。
【０１４４】
例えば、定員数１００名で総申込者数が８００名であった場合、チケットの当選率は総申込者数８００名を４で除算した値である２００名ごとに異なる。図１６によれば、１番から２００番までの予約番号を有する申込者には当選者枠として、定員数１００名の４０％である４０名が割当てられ、２０１番から４００番までの予約番号を有する申込者には当選者枠として、定員数１００名の３０％である３０名が割当てられ、４０１番から６００番までの予約番号を有する申込者には当選者枠として、定員数１００名の２０％である２０名が割当てられ、６０１番から８００番までの予約番号を有する申込者には当選者枠として、定員数１００名の１０％である１０名が割当てられる。
【０１４５】
その後、ＣＰＵ１０１は、上記の各予約番号の範囲ごとに当選者を決定する。図１６によれば、予約番号の範囲ごとの申込者に対する当選者の決定は第１の実施の形態と同様の当選公式により行われている。
【０１４６】
例えば、上記のように、総申込者数が８００名の場合、予約番号１番から２００番までの申込者のうち、当選者は申込者数２００名を当選者枠４０名で除算した値である５の倍数により決定される。また、予約番号４０１番から６００番までの申込者においては、当選者は申込者数２００名を当選者枠２０名で除算した値である１０の倍数により決定される。予約番号２０１番から４００番までおよび予約番号６０１番から８００番までの申込者に対する当選者の決定も上記と同様に行われる。
【０１４７】
上記の予約抽選方法によれば、図１６に示される予約番号「４２」のペンネーム「ペンペン」は総申込者数が８００名の場合落選となる。
【０１４８】
以上に示す本実施の形態に係る予約抽選方法によれば、チケット予約の当選確率は、チケット予約の申込受付順に設定されてゆく。これにより、申込者は早くチケット予約を申込んだほうが高い当選率を得ることができるのでチケット予約の申込意欲が促進される。また、申込者は、チケット予約の申込が遅れた場合においても、低い当選率ながらも公平な抽選が行われるのでチケット予約の申込意欲を喪失しない。
【０１４９】
（第３の実施の形態）
以下に、第３の実施の形態に係る予約抽選システムについて図１７に基づき説明する。
【０１５０】
第３の実施の形態に係る予約抽選システムは、以下の点を除き第１の実施の形態と同様の構成および動作を有する。
【０１５１】
第３の実施の形態において、予めイベント主催者により決定されるチケット予約抽選方法によれば、グループ単位でのチケット予約が可能である。なお、本実施の形態において、１グループに含まれる最大人数は２名までとする。
【０１５２】
図１７は、第３の実施の形態におけるチケット予約の受付期間中の抽選情報画面Ｔ８の一例を示す模式図である。
【０１５３】
以下に、図１７に示されるチケット予約抽選方法に基づく抽選代行会社コンピュータ１のＣＰＵ１０１の動作について説明する。
【０１５４】
抽選代行会社コンピュータ１のＣＰＵ１０１は、第１の実施の形態に係る抽選予約システムと同様に、チケット予約受付期間の終了とともに総申込者数に基づいて予めイベント主催者３００により決定されるチケット予約抽選方法により予約抽選を行う。
【０１５５】
以下の説明において、総申込者数は、グループによる申込の場合に１グループを１名として算出されている。
【０１５６】
初めに、ＣＰＵ１０１は、図１７に示す当選公式に基づく予約抽選を行う。ここで、当選公式に基づく予約抽選は、全申込者が２名のグループでチケット予約を行ったものと想定して行われる。
【０１５７】
ＣＰＵ１０１は、総申込者数を４分割する。これにより、チケット予約を行った申込者は、自己に割当てられた予約番号に応じて当選率が決定される。この当選率の決定は、第２の実施の形態に示す方法と同様である。
【０１５８】
例えば、定員数１００名に対し総申込者数が２００名であった場合、チケットの当選率は総申込者数２００名を４で除算した値である５０名ごとに異なる。
【０１５９】
ここで、以下に示す当選公式に基づく予約抽選においては、申込者全員が２名１組で申込んでいるものと想定されているため、本来の定員数が１００名の場合、１００名を２で除算して得られる５０名が定員数となる。
【０１６０】
図１７によれば、１番から５０番までの予約番号を有する申込者には当選者枠として、定員数５０名の４０％である２０名が割当てられ、５１番から１００番までの予約番号を有する申込者には当選者枠として、定員数５０名の３０％である１５名が割当てられ、１０１番から１５０番までの予約番号を有する申込者には当選者枠として、定員数５０名の２０％である１０名が割当てられ、１５１番から２００番までの予約番号を有する申込者には当選者枠として、定員数５０名の１０％である５名が割当てられる。
【０１６１】
その後、ＣＰＵ１０１は、上記の各予約番号の範囲ごとに当選者を決定する。図１７によれば、予約番号の範囲ごとの申込者に対する当選者の決定は第２の実施の形態と同様の当選公式により行われている。
【０１６２】
例えば、上記のように、総申込者数が２００名の場合、予約番号１番から５０番までの申込者のうち、当選者は申込者数５０名を当選者枠２０名で除算した値である２．５の倍数により決定される。なお、図１７に示すように小数点以下の数値が当選公式による算出値の倍数にある場合、その小数点以下は切り捨てられる。
【０１６３】
そして、予約番号５１番から１００番まで、予約番号１０１番から１５０番までおよび予約番号１５１番から２００番までの申込者に対する当選者の決定も上記と同様に行われる。
【０１６４】
上記の予約抽選方法によれば、図１７に示される予約番号「４２」のペンネーム「ペンペン」は総申込者数が２００名の場合当選となる。
【０１６５】
続いて、ＣＰＵ１０１は、図１７に示す当選公式に基づく予約抽選を行った後、当選公式に基づく予約抽選により決定された当選者の総計を算出する。例えば、上記の予約抽選により当選した５０名のうち３０名がグループでチケット予約の申込をしていた場合、当選者の総計は８０名となる。
【０１６６】
そして、ＣＰＵ１０１は、予め定められた定員数１００から当選者の総計である８０を減算する。これにより、ＣＰＵ１０１は、残り２０名の当選者枠が残されていることを認識する。そして、残り２０名の当選者枠は、当選公式による予約抽選で落選した申込者のうち、予約番号の若い順に当選者を決定する。
【０１６７】
以上に示す本実施の形態に係る予約抽選方法によれば、グループ単位でチケット予約の申込が可能であり、チケット予約の当選確率がチケット予約の申込受付順に設定されてゆく。これにより、申込者は早くチケット予約を申込んだ方が高い当選率を得ることができるのでチケット予約の申込意欲が促進される。また、申込者は、チケット予約の申込が遅れた場合においても、低い当選率ながらも公平な抽選が行われるのでチケット予約の申込意欲を喪失しない。さらに、グループでのチケット予約の申込が容易であり、申込者が複数の場合、申込意欲が促進される。
【０１６８】
本実施の形態において、１グループに含まれる最大人数は２名までとされているが、１グループに含まれる最大人数は、抽選方法を変更することにより任意に設定してもよい。
【０１６９】
以上に示す第１〜第３の実施の形態において、申込者２００は、メールにより各種イベントの申込みが可能であるが、メールに代えてＷＷＷ上でのデータの授受によりイベントの申込が行われてもよい。
【０１７０】
本実施の形態においては、イベント主催者３００が販売対象提供者に相当し、申込者２００が購入希望者に相当し、抽選代行会社コンピュータ１が販売情報受付手段、販売情報提示手段、予約抽選提示手段および抽選結果提示手段に相当し、予約抽選受付画面Ｔ１、イベント詳細情報画面Ｔ２および予約サインフォーム表示画面Ｔ３が販売情報に相当する。また、抽選代行会社コンピュータ１の外部記憶装置１０４が販売情報記憶手段に相当し、抽選代行会社コンピュータ１およびメールサーバ５が予約受付手段および購入予約情報記憶手段に相当し、イベント名、イベント開催地、イベント開催日時、名前およびペンネームが購入予約情報に相当し、予約確認メールＭ１が購入予約の状況および抽選方法に相当する。さらに、抽選代行会社コンピュータ１のＣＰＵ１０１が抽選実行手段に相当し、抽選情報画面Ｔ６が抽選の結果に相当し、抽選代行会社コンピュータ１、メールサーバ５および通信端末１１が抽選結果通知手段に相当し、名前およびペンネームが予約者識別情報に相当する。
【０１７１】
【発明の効果】
本発明に係る予約抽選装置においては、販売対象提供者からネットワークを介して送信される販売対象の情報が販売情報受付手段により販売情報として受け付けられ、販売情報受付手段により受け付けられた販売情報が販売情報記憶手段により記憶され、販売情報記憶手段に記憶された販売情報が販売情報提示手段によりネットワークを介して購入希望者に提示される。また、購入希望者からネットワークを介して送信される販売対象の購入予約が予約受付手段により購入予約情報として受け付けられ、予約受付手段により受け付けられた購入予約情報が購入予約情報記憶手段により記憶され、購入予約情報記憶手段に記憶された購入予約情報に基づいて購入予約の状況および抽選方法が予約抽選提示手段によりネットワークを介して購入希望者に提示される。さらに、抽選実行手段により購入予約情報記憶手段に記憶された購入予約情報および予約抽選提示手段により提示された抽選方法に基づいて抽選が実行され、抽選実行手段により実行された抽選の結果が抽選結果提示手段によりネットワークを介して購入希望者に提示される。
【０１７２】
これにより、購入希望者は、ネットワークを介して販売対象提供者の提供する販売情報を容易に得ることができる。そして、購入希望者は、その販売情報に基づき、ネットワークを介した予約申込ができる。このように、購入希望者は、予約申込をメール等によりネットワークを介して容易に行うことができるので、電話による予約申込時にあるような「電話が繋がらない」といったストレスを感じることがない。
【０１７３】
また、購入希望者は、販売対象提供者の提供する販売情報とともに、現在の予約抽選の申込の状況および予め定められた当選公式による公平な抽選方法をネットワークを介して知ることができるので、予約申込の意欲を喪失しない。
【０１７４】
一方、販売対象提供者は、コンピュータを用いることによりチケット予約の受付および予約抽選を自動的に行うことができる。これにより、電話予約による予約受付や予約抽選に係る人員を低減することができ、予約受付および予約販売の全体的な低コスト化を図ることができる。
【図面の簡単な説明】
【図１】本発明の第１の実施の形態に係るチケット販売形態の一例を示す模式図
【図２】第１の実施の形態に係る予約抽選装置を含む予約抽選システムの構成を示すブロック図
【図３】第１の実施の形態に係る抽選代行会社コンピュータの構成を示すブロック図
【図４】第１の実施の形態においてイベント主催者から抽選代行会社に与えられる各種情報の一例を示す模式図
【図５】チケット予約の受付を行う予約抽選受付画面の一例を示す模式図
【図６】イベントの内容およびスケジュールの詳細を表示するイベント詳細情報画面の一例を示す模式図
【図７】チケット予約の予約メールを作成するための予約サインフォーム表示画面の一例を示す模式図
【図８】申込者よりチケット予約を受付けたことを申込者に通知する予約確認メールの一例を示す模式図
【図９】特定のチケット予約状況を選択するための抽選情報選択画面の一例を示す模式図
【図１０】チケット予約の受付期間中における抽選情報画面の一例を示す模式図
【図１１】特定のイベントのチケット予約の受付期間の終了後の抽選情報画面の一例を示す模式図
【図１２】申込者コンピュータによる各種情報の閲覧動作を示すフローチャート
【図１３】申込者コンピュータによる各種情報の閲覧動作を示すフローチャート
【図１４】抽選代行会社コンピュータのＣＰＵが行うチケット予約の受付および抽選情報の更新動作を示すフローチャート
【図１５】抽選代行会社コンピュータのＣＰＵが行うチケット予約の抽選動作を示すフローチャート
【図１６】第２の実施の形態におけるチケット予約の受付期間中の抽選情報画面の一例を示す模式図
【図１７】第３の実施の形態におけるチケット予約の受付期間中の抽選情報画面の一例を示す模式図
【図１８】従来におけるチケット販売形態の一例を示す模式図
【符号の説明】
１  抽選代行会社コンピュータ
１１，２１Ａ，２１Ｂ，２１Ｃ，３１，４１  通信端末
２Ａ，２Ｂ，２Ｃ  申込者コンピュータ
３  イベント主催者コンピュータ
４  チケット販売店コンピュータ
５  メールサーバ
６  インターネット
７  回線
１０１  ＣＰＵ
１０２  ＲＡＭ
１０３  ＲＯＭ
１０４  外部記憶装置
１０５  記録媒体駆動装置
１０６  インターフェイス部
１０７  記憶媒体
１００  抽選代行会社
２００  申込者
３００  イベント主催者
４００  チケット販売店
Ｔ１  予約抽選受付画面
Ｔ２  イベント詳細情報画面
Ｔ３  予約サインフォーム表示画面
Ｍ１  予約確認メール
Ｔ５，Ｔ６，Ｔ７，Ｔ８  抽選情報画面
【図１】
2004164084.tif 000003
【図２】
2004164084.tif 000004
【図３】
2004164084.tif 000005
【図４】
2004164084.tif 000006
【図５】
2004164084.tif 000007
【図６】
2004164084.tif 000008
【図７】
2004164084.tif 000009
【図８】
2004164084.tif 000010
【図９】
2004164084.tif 000011
【図１０】
2004164084.tif 000012
【図１１】
2004164084.tif 000013
【図１２】
2004164084.tif 000014
【図１３】
2004164084.tif 000015
【図１４】
2004164084.tif 000016
【図１５】
2004164084.tif 000017
【図１６】
2004164084.tif 000018
【図１７】
2004164084.tif 000019
【図１８】
2004164084.tif 000020